(57)【要約】      （修正有）【課題】歩行時等息苦しさを感じがちな場合には、マスク内への空気の流入を容易にし、他方で周囲に人がいる場合など、飛沫を防ぐ必要性が高い場合には、空気の流入や流出を絞ることが可能なマスクを提供する。【解決手段】装着者の口を覆う本体部１１と、本体部の両側部に取り付けられた耳掛け部１３とにより成るマスク１０において、本体部の両側縁内に引きひも２０を、その両端が本体部に固定される形態で取り付けて、引きひもにひも止め３０を介在させた。【選択図】図１
0003230632.tif 000002
【実用新案登録請求の範囲】
【請求項１】
装着者の口を覆う本体部と、本体部の両側部に取り付けられた耳掛け部とにより成るマスクにおいて、
本体部の両側縁内に引きひもを、その両端を本体部に固定して取り付けたことを特徴とするマスク。
【請求項２】
引きひもにひも止めを介在させた請求項１に記載のマスク。
【考案の詳細な説明】
【技術分野】
【０００１】
本考案はマスクに関し、より詳しくは着用時の息苦しさを解消可能なマスクに関する。
【背景技術】
【０００２】
一般的にマスクは、粉塵や花粉を遮り、風邪やウィルス感染を予防する観点から利用され、衛生面だけでなく機能性や利便性、更には使用感など様々な観点から開発されている。
【０００３】
近年においては、マスク着用時の息苦しさを低減するため、マスク着用時に立体形状を形成できるマスクが広く汎用されている。
【０００４】
かかる立体形状を形成できるマスクとしては、縦中心線により二つ折りされたマスク本体部を開くとカップ状の空間が形成されるタイプと、マスク本体部の横方向に複数のプリーツを形成し、使用時にプリーツ部を開くことで空間を確保するプリーツタイプのものが知られている。
【０００５】
また、特許文献１には、マスク内に形状保持具を介在させることで、空間を確保し息苦しさを解消するマスクが開示されている。
【０００６】
特許文献２には、装着者の口を覆うと共に開口部を備えた本体部と、該開口部を塞ぐように前記本体部に貼付可能なパッチ部材とを備え、パッチ部材を貼り付けたり、取り外したりすることで、息苦しさを解消するマスクが開示されている。
【先行技術文献】
【特許文献】
【０００７】
【特許文献１】登録実用新案公報第３２２１７９８号
【特許文献２】特開２０１６−１９９８３４号公報
【考案の開示】
【考案が解決しようとする課題】
【０００８】
ウィルス感染症対策として広くマスクを着用することが励行されている。ところが歩行時などマスクを着用していると息苦しくなりがちである。ましてや、運動時などにマスクを着用していると呼吸困難に陥る恐れもある。
【０００９】
そもそも感染症対策としてマスクを着用する主な目的は、着用者自身の飛沫を防ぐことにあり、医療従事者等が使用する高性能マスクでない限り、厳密に飛沫等の侵入を防ぐことまでは求められていない。
【００１０】
そこで本考案は、歩行時等息苦しさを感じがちな場合には、マスク内への空気の流入を容易にし、他方で周囲に人がいる場合など、飛沫を防ぐ必要性が高い場合には、空気の流入や流出を絞ることが可能なマスクを提供することを目的とする。
【課題を解決するための手段】
【００１１】
上記の目的を達成する本考案の構成は以下の通りである。
【００１２】
（１) 請求項１に記載のマスクは、装着者の口を覆う本体部と、本体部の両側部に取
り付けられた耳掛け部とにより成るマスクにおいて、本体部の両側縁内に引きひもを、そ
の両端が本体部に固定される形態で取り付けて構成されている。
【００１３】
（２) 請求項２に記載のマスクは、請求項１記載の考案において、引きひもにひも止
めを介在させた。
【考案の効果】
【００１４】
上記のように構成される本考案が、如何に作用して課題を解決するかを図面を参照しながら概説する。なお、各図におけるＵとは上方を、Ｄは下方を、Ｒは右方向を、Ｌは左方向を意味するものである。
【００１５】
本考案に係るマスク１０は、図１に示すように本体部１１の両側縁１２，１２内に、引きひも２０を、その上端２１を本体部１１に固定して取り付けて形成してある。
【００１６】
かかる構成ゆえに、引きひも２０を手で押さえながら、本体部１１の下部を上方に引っ張れば、両側縁１２，１２上方に向かって引き絞られることになる。図２は、かかる引き絞られた状態を示すものであり、着用者Ａの耳下から顎先に至る下顎縁部に、両側縁１２,１２が密着し、マスク内への空気の流入やマスク外への空気の流出を抑制することが可
能となるのである。
【００１７】
他方で、引きひも２０による両側縁１２,１２の引き絞りを緩めれば、図３に示すよう
に両側縁１２,１２の着用者Ａの下顎部への密着が開放され、矢印で示されるようにマス
ク内への空気の流入やマスク外への空気の流出が容易くなる。つまりはマスク着用時の息苦しさが緩和されるのである。
【００１８】
上述の通り本考案によれば、歩行時等息苦しさを感じがちな場合には、引きひも２０を緩めることでマスク内への空気の流入を容易にし、他方で周囲に人がいる場合など、飛沫を防ぐ必要性が高い場合には、引きひも２０を絞ることで空気の流入や流出を抑制することが可能なマスクを提供することが可能となるのである。
【００１９】
尚、請求項２に記載の考案では、引きひも２０にひも止め３０を介在させてある。かかる構成とすることで、図２に示すように両側縁１２,１２を引っ張った状態で、ひも止め
３０を上方に移動させれば、両側縁１２,１２が引っ張られた状態を維持することが可能
となるのである。
【図面の簡単な説明】
【００２０】
【図１】本考案に係るマスクの正面図
【図２】同、使用状態を示す説明図
【図３】同、使用状態を示す説明図
【図４】ひも止めの概略説明図
【考案を実施するための形態】
【００２１】
以下、好ましい考案の実施形態につき、図面を参照しながら概説する。なお、本考案構
成要素の実施形態は、下記の実施形態に何ら限定されることはなく、本考案の技術的範囲に属する限り、種々の形態を採りうる。
【００２２】
本考案は，口元に装着されるマスクに関するものであり、主に飛沫物が呼吸器内に侵入することを防止したり、あるいは咳やくしゃみによって飛沫物が空気中に飛散することを防止することを目的として使用される。
【００２３】
図１は，本考案に係るマスク１０の外観を示している。マスク１０は、本体部１１と耳
掛け部１３とを備える。本体部１１は、着用者の口元を覆うための部材であり、飛沫物をフィルタリングするための布シートが複数層に亘って積層された構造となっている。むろんこれは一例であり、飛沫物をフィルタリング可能であれば布シート単層で形成しても構わない。
【００２４】
また、耳掛け部１３は，本体部１１の左右両側部に取り付けられた伸縮性を持つリング状の紐部材である。耳掛け部１３は、本体部１１の側部を折り返して縫製することで形成した空洞部１５内に緩挿されている。尚、点線１４で示される部分が縫製部位である。
【００２５】
着用者は，このループ状の耳掛け部１３を耳に掛けることで、本体部１１で自身の口元を覆うことが出来る。耳掛け部１３を構成する伸縮性材料としては，例えばゴム糸と綿の交織帯や樹脂フィラメントの交編ネット、あるいは伸縮性の不織布等を用いることができる。
【００２６】
本体部１１の両側縁１６,１６内には、引きひも２０が緩挿されている。具体的には両
側縁１６,１６近傍を縫製することで空洞部１７を形成し、該空洞部１７内に引きひも２
０を緩挿してある。尚、点線１８で示される部位が縫製部位である。本体部１１は複数層の布シートが積層されていることから、縫製により空洞部１７を形成可能となるのである。また、空洞部１７,１７の下端は開放されており、引きひも２０は本体部１１外に出る
形状となっている。尚、本体部１１を単層の布シートで形成した場合は、両側縁１６,１
６を折り返して縫製すれば、空洞部１７の形成が可能である。
【００２７】
引きひも２０は一本のひも体であり、その両端は本体部１１に固定されている。図１に示される２１が固定部位である。引きひも２０の素材は特に限定されないが、樹脂製の丸紐などを利用可能である。
【００２８】
請求項２に記載の考案では、引きひも２０にひも止め３０を介在させてある。ひも止め３０としては、コードストッパー或いはコードロックとも呼ばれているストッパーの汎用品を使用することが可能である。
【００２９】
図４はその一例を示すものであり、ひも止め３０は、操作部３１側と本体３２側に夫々開口３１ａ、３２ａを有している。図４Ａに示すように、本体３２から操作部３１が突出するように弾性体３３が介在してある。図４Ｂに示すように、弾性体３３に抗して操作部３１を本体３２に押し込むと両者の開口３１ａ、３２ａが重なって、引きひも２０が通りやすくなる。一方、押し込み力を消去すると操作部３１は弾性体３３により復帰して両者の開口３１ａ、３２ａがずれてここに通された引きひも２０を拘束する。
【００３０】
かような構造ゆえに、弾性体３３により引きひも２０の任意の位置を挟み込んで固定することができるものである。すなわち本体部１１の両側縁１２,１２が引っ張られた状態
を、ひも止め３０により維持することが可能となるのである。
【００３１】
むろん図４に示されるひも止め３０は一例であり、引きひも２０の任意位置で固定可能であれば、汎用のひも止め、コードストッパー、コードロック等を使用することが可能である。
【符号の説明】
【００３２】
１０・・マスク
１１・・本体部
１２・・側縁
１３・・耳掛け部
１４・・縫製部位
１５・・空洞部
１６・・側縁
１７・・空洞部
１８・・縫製部位
２０・引きひも
２１・・固定部位
３０・・ひも止め
【図１】
0003230632.tif 000003
【図２】
0003230632.tif 000004
【図３】
0003230632.tif 000005
【図４】
0003230632.tif 000006